(57)【要約】      （修正有）【課題】空気中での撮影を前提に設計された交換レンズに対し、レンズの物体側に装着して、水中でのレンズ交換でレンズとカメラ間に水が満たされた状態での水中撮影時にも、空気中と同等の光学性能を実現させるコンバータレンズを提供する。【解決手段】撮影レンズMの物体側に装着するコンバータレンズCにおいて、コンバータレンズCは少なくとも1枚の負レンズL1と１枚の正レンズL2を有し、コンバータレンズCの空気中での焦点距離をfcon、撮影レンズMの空気中での焦点距離をｆ、コンバータレンズCの第１レンズL1の物体側面より物体側の媒質の屈折率をn0、撮影レンズMの最像側に配置した平行平板ガラスG0からカメラマウントの保護ガラスG1までの間の媒質の屈折率をnrとしたとき、以下の条件式を満足する。−５０＜ｆcon/f＜０（１）、（n0+nr）/2＞1.1（２）【選択図】図１
2017026773.tif 000002
【特許請求の範囲】
【請求項１】
撮影レンズの物体側に装着するコンバータレンズにおいて、
前記コンバータレンズは少なくとも1枚の負レンズと１枚の正レンズを有し、前記コンバータレンズの空気中での焦点距離をfcon、撮影レンズの空気中での焦点距離をｆ、前記コンバータレンズの第１レンズの物体側面より物体側の媒質の屈折率をn0、撮影レンズの最像側に配置した平行平板ガラスからカメラマウントの保護ガラスまでの間の媒質の屈折率をnrとすると、以下の条件式を満足することを特徴とするコンバータレンズ。
−５０＜ｆcon/f＜０         （１）
（n0+nr）/2＞1.1            （２）
【請求項２】
前記コンバータレンズの第１レンズは負レンズとし、前記負レンズの物体側面の曲率半径をr1、第１レンズの像側面の曲率半径をr2とすると、以下の条件式を満足することを特徴とする請求項１に記載のコンバータレンズ。
0＜（r2＋r1）/（r2-r1）＜1.5       （３）
【請求項３】
前記コンバータレンズは少なくとも１枚の負レンズを有し、前記負レンズの焦点距離をｆnとすると、以下の条件式を満足することを特徴とする請求項１又は請求項２に記載のコンバータレンズ。
0＜fn/ｆcon＜0.5            （４）
【請求項４】
前記コンバータレンズは少なくとも１枚の正レンズを有し、前記正レンズの焦点距離をｆｐとすると、以下の条件式を満足することを特徴とする請求項１乃至請求項３の何れか一項に記載のコンバータレンズ。
0＜｜fp/ｆcon｜＜0.6        （５）
【請求項５】
前記コンバータレンズの第１レンズは少なくとも１面以上非球面であることを特徴とする請求項１乃至請求項４の何れか一項に記載のコンバータレンズ。
【発明の詳細な説明】
【技術分野】
【０００１】
本発明は、空気中での撮影を前提に設計された交換レンズに対し、交換レンズの物体側に装着して、水中でのレンズ交換によりレンズとカメラ間に水が満たされた状態での水中撮影時にも、空気中と同等の光学性能を実現させるコンバータレンズに関する。
【背景技術】
【０００２】
近年、交換レンズを使用する場所として、水中でも撮影を楽しみたいというニーズが高まりつつある。水中での撮影を可能にする従来技術として、特許文献１には、陸上と水中で発生する歪曲収差の差を電気的に補正するという方法が開示されている。
【０００３】
また、特許文献２には、撮影レンズと撮像素子が一体となったコンパクトデジタルカメラに対し、撮影レンズの物体側にコンバータレンズを装着することで陸上と水中で同等の光学性能を実現するという方法が開示されている。
【先行技術文献】
【特許文献】
【０００４】
【特許文献１】特許４８２７１９３号公報
【特許文献２】特開２００２−１１６４９１号公報
【発明の概要】
【発明が解決しようとする課題】
【０００５】
特許文献１では、空気中と水中で生じる歪曲収差の差を電気的に補正することを開示している。しかしながら、電気的な収差補正は画質の低下を招く点で課題を有する。
【０００６】
また、特許文献２では、撮影レンズと撮像素子が一体となった撮影光学系に対し、撮影光学系全体を防水ケースで覆い、その物体側に装着されるコンバータレンズを開示している。しかしながら、特許文献２では撮影光学系全体を防水ケースで覆っているため、水中で撮影レンズを交換することは不可能である。
【０００７】
本発明の目的は、空気中での撮影を前提に設計された交換レンズに対し、レンズの物体側に装着して、水中でのレンズ交換でレンズとカメラ間に水が満たされた状態での水中撮影時にも、空気中と同等の光学性能を実現させるコンバータレンズを提供することにある。
【課題を解決するための手段】
【０００８】
上記の目的を達成するために、本発明に係るコンバータレンズは、
撮影レンズの物体側に装着するコンバータレンズにおいて、
前記コンバータレンズは少なくとも1枚の負レンズと１枚の正レンズを有し、前記コンバータレンズの空気中での焦点距離をfcon、撮影レンズの空気中での焦点距離をｆ、前記コンバータレンズの第１レンズの物体側面より物体側の媒質の屈折率をn0、撮影レンズの最像側に配置した平行平板ガラスとカメラマウントの保護ガラスまでの間の媒質の屈折率をnrとすると、以下の条件式を満足することを特徴とする。
−５０＜ｆcon/f＜０         （１）
（n0+nr）/2＞1.1            （２）
【発明の効果】
【０００９】
本発明によれば、撮影レンズの物体側に装着し、水中でもレンズ交換可能な交換レンズとして、カメラとレンズ間の媒質が水であっても空気中と同程度の光学性能を実現するコンバータレンズを提供することができる。
【図面の簡単な説明】
【００１０】
【図１】本発明の数値実施例１のレンズ断面図
【図２】本発明の数値実施例１の収差図
【図３】本発明の数値実施例２のレンズ断面図
【図４】本発明の数値実施例２の収差図
【図５】本発明の数値実施例３のレンズ断面図
【図６】本発明の数値実施例３の収差図
【図７】本発明の数値実施例４のレンズ断面図
【図８】本発明の数値実施例４の収差図
【図９】本発明の数値実施例装着前の撮影レンズの断面図
【図１０】本発明の数値実施例装着前の撮影レンズの収差図
【発明を実施するための形態】
【００１１】
以下に、本発明の好ましい実施の形態を、添付の図面に基づいて詳細に説明する。
【００１２】
図１は本発明の後述する実施形態１のレンズ断面図である。図２は本発明の実施形態１の収差図である。
【００１３】
図３は本発明の後述する実施形態２のレンズ断面図である。図４は本発明の実施形態２の収差図である。
【００１４】
図５は本発明の後述する実施形態３のレンズ断面図である。図６は本発明の実施形態３の収差図である。
【００１５】
図７は本発明の後述する実施形態４のレンズ断面図である。図８は本発明の実施形態４の収差図である。
【００１６】
図９は本発明の後述する全実施形態を装着する前の撮影レンズの断面図である。
【００１７】
図１０は本発明の後述する全実施形態を装着する前の撮影レンズの収差図である。
【００１８】
図１を用いて、本発明のレンズ構成について説明する。
【００１９】
Cはコンバータレンズ、Mは撮影レンズであるマスターレンズを示している。コンバータレンズCは、図１に示すようにマスターレンズMの前方（撮影レンズの物体側）に装着することで、水中において空気中でのマスターレンズMの焦点距離および光学性能を維持する役割を果たしている。マスターレンズMは最像側に配置した平行平板ガラスG0により、交換レンズ内部に水が浸入しないよう構成している。また、カメラマウントの保護ガラスG１により、不図示のカメラ本体へも水が浸入しないよう構成している。
【００２０】
本実施例において、水中撮影時には、コンバータレンズCの物体側および、マスターレンズMの最像側に配置した平行平板ガラスG0とカメラマウントの保護ガラスG1の間は水で満たされるものである。G２は光学フィルター、フェースプレート、赤外カットフィルタなどに相当するガラスブロック、ＩＰは像面であり、CCDセンサやCMOSセンサなどの固体撮像素子が配置される。
【００２１】
図１を用いて、本実施例全てに共通する本発明のレンズ構成の考え方を示す。
【００２２】
空気中でレンズ交換可能として設計された撮影レンズを水中でも交換可能な交換レンズとして使用する場合、交換レンズの物体側および最像側の２箇所において、媒質が空気から水に置き換わることが考えられる。
【００２３】
一般に、空気とガラスの屈折率差よりも水とガラスの屈折率差の方が小さくなるため、前記２箇所が空気から水へと置き換わると、水との境界面の屈折力は弱くなる。
【００２４】
具体的には、マスターレンズの第１レンズのR1面よりも物体側、および最像側レンズのR２面より像側における各境界面の屈折力が弱くなる。
【００２５】
マスターレンズの第１レンズのR１面よりも物体側の境界面での屈折力が弱くなるということは、第１レンズ群の屈折力が弱くなることである。
【００２６】
第１レンズ群が負の屈折力を有する、いわゆるNリードタイプの光学系の場合、近軸的に撮影光学系全体としての焦点距離は望遠側にシフトした状態となる。
【００２７】
また、撮影レンズが広角なレンズである場合、主に第１レンズ群で行っていた歪曲収差や倍率色収差、像面湾曲などの諸収差の補正力が弱まるため、空気中と水中での光学性能の変化も顕著である。
【００２８】
一方、マスターレンズの最像側レンズのR2面より像側における境界面での変化としては、マスターレンズの最像側に配置した平行平板ガラスからカメラマウントの保護ガラスG1までの間隔が空気から水に変化した場合を想定する。この時、境界面はどちらも平板であるため、境界面での屈折はしない。しかしながら、空気と水の屈折率の差分だけ光路長が伸びる点が異なる。この場合、フォーカスレンズを過剰に繰り出すことで上記解消することも可能であるが、フォーカスレンズの繰出量は光学性能上およびメカ構造的に繰出し可能な量が決められている。そのため、過剰に繰り出してしまうと、近距離被写体の撮影が困難となる。
【００２９】
本実施例では、撮影レンズの物体側に装着するコンバータレンズにおいて、前記コンバータレンズは少なくとも1枚の負レンズと１枚の正レンズを有し、前記コンバータレンズの空気中での焦点距離をfcon、撮影レンズの空気中での焦点距離をｆ、前記コンバータレンズの第１レンズの物体側面より物体側の媒質の屈折率をn0、撮影レンズの最像側に配置した平行平板ガラスからカメラマウントの保護ガラスまでの間の媒質の屈折率をnrとし、それぞれを適切に設定することで所望の光学性能を実現している。
【００３０】
コンバータレンズCは、物体側から順に、負の屈折力の第１レンズ群L1と、正の屈折力の第２レンズ群L2で構成され、全体として負の屈折力を有する。
【００３１】
コンバータレンズの第１レンズ群L１は、物体側に凹面を向けた負レンズで構成され、コンバータレンズの第２レンズ群L2は、物体側に凸面を向けた正メニスカスレンズで構成されている。
【００３２】
また、コンバータレンズの第１レンズ群L1は物体側および像側の少なくとも１面を非球面としている。
【００３３】
次に、本実施例のコンバータレンズが満足すべき好ましい条件について説明する。
【００３４】
本実施例のコンバータレンズは以下の条件式を満足している。
−５０＜ｆcon/f＜０         （１）
（n0+nr）/2＞1.1            （２）
0＜（r2＋r1）/（r2-r1）＜1.5       （３）
0＜fn/ｆcon＜0.5            （４）
0＜｜fp/ｆcon｜＜0.6        （５）
ここで、fconは前記コンバータレンズの空気中での焦点距離、ｆは撮影レンズの空気中での焦点距離、n0はコンバータレンズの第１レンズの物体側面より物体側の媒質の屈折率、nrは撮影レンズの最像側に配置した平行平板ガラスからカメラマウントの保護ガラスまでの間の媒質の屈折率である。
【００３５】
r1は前記コンバータレンズの第１レンズの物体側面の曲率半径、r2は第１レンズの像側面の曲率半径、fnは前記コンバータレンズに含まれる少なくとも１枚の負レンズの焦点距離、fpは前記コンバータレンズに含まれる少なくとも１枚の正レンズの焦点距離である。
【００３６】
条件式（１）は、コンバータレンズの焦点距離を規定した式である。上限値を超えると、コンバータレンズの焦点距離が過度に長くなり、すなわち、コンバータレンズの屈折力が過度に弱くなるため、歪曲収差および倍率色収差などの補正不足となる点で課題を有する。下限値を超えると、コンバータレンズの焦点距離が過度に短くなり、すなわち、コンバータレンズの屈折力が過度に強くなる。その結果、複数のレンズで屈折力を分散させる必要が出てくるため、光学系全体の大型化を招く点で課題を有する。
【００３７】
条件式（２）は、コンバータレンズの第１レンズの物体側面より物体側の媒質の屈折率と、撮影レンズの最像側に配置した平行平板ガラスからカメラマウントの保護ガラスまでの間の媒質の屈折率を規定した式である。
【００３８】
本実施例のコンバータレンズは、コンバータレンズを装着することで水中でもレンズ交換を可能にする交換レンズを実現するためのコンバータレンズである。
【００３９】
すなわち、コンバータより物体側の媒質、および、撮影レンズの最像側に配置した平行平板ガラスから撮像素子の保護ガラスまでの間の媒質はともに水となることを示した式である。
【００４０】
条件式（３）はコンバータレンズに含まれる、負の屈折力を持つ第１レンズの形状因子（レンズ形状）を規定した式である。
【００４１】
条件式（３）が1.5の場合、レンズ形状は物体側に凹面を向けたメニスカス形状となる。上限値を超えると、メニスカス度合いが強まり、負の屈折力が過度に弱まるため、撮影レンズ全体として空気中と同等の焦点距離を実現することが困難となる。下限値を超えると、例えば条件式（３）が0の場合、レンズ形状は両凹となる。条件式がマイナスとなる場合、負の屈折力が過剰になる。第１レンズは最も軸外光線が高い位置を通るレンズであるため、軸外収差、特に像面湾曲がオーバー過剰となる点や倍率色収差の補正過剰となる点で課題を有する。
【００４２】
条件式（４）はコンバータレンズに含まれる負レンズの焦点距離を規定した式である。上限値を超えると、負レンズの焦点距離は過剰に長くなり、すなわち、負レンズの屈折力が過剰に小さくなる。その結果、歪曲補正及び倍率色収差補正不足となるため課題を有する。下限値を超えると、負レンズの焦点距離は過剰に短くなり、すなわち、負レンズの屈折力が過剰に大きくなる。負レンズの屈折力が過度に強くなると、ペッツバール和がプラス側に増大するため、像面湾曲が過度にアンダーとなる点で課題を有する。
【００４３】
条件式（５）はコンバータレンズに含まれる正レンズの焦点距離を規定した式である。上限値を超えると、正の焦点距離が過度に長くなる、すなわち正の屈折力が過剰に弱くなる。正の屈折力が弱くなると、ペッツバール和がマイナス側に増大するため、像面湾曲が過度にオーバーとなる点で課題を有する。下限値を超えると、正の焦点距離が過度に短くなる、すなわち正の屈折力が過剰に強くなる。その結果、良好な光学性能を実現するためには、複数のレンズで屈折力を分担させる必要があるため、レンズ構成枚数の増大を招く点で課題を有する。
【００４４】
さらに望ましくは、本実施例のコンバータレンズは以下の条件を満足している。
−35＜ｆcon/f＜-10          （１Ａ）
（n0+nr）/2＞1.2            （２Ａ）
0.3＜（r2＋r1）/（r2-r1）＜1.2     （３Ａ）
0＜fn/ｆcon＜0.4            （４Ａ）
0.1＜｜fp/ｆcon｜＜0.6             （５Ａ）
本発明の実施例として４つの数値実施例を示したが、本発明は前記４つの実施例に限られるものではなく、様々なコンバータレンズに適応可能である。
【００４５】
また、各実施例において、コンバータレンズの第１レンズの物体側面より物体側の媒質の屈折率および、撮影レンズの最像側に配置した平行平板ガラスから撮像素子の保護ガラスまでの間の媒質はｄ線の屈折率1.33304、d線のアッべ数55.8の水とした。
【００４６】
しかしながら、本発明は、前記媒質を水に限定するものではなく、海水やエチルアルコールなど水に近い屈折率やアッべ数を持つ液体媒質であれば適応可能な発明である。
【００４７】
次に、本発明の実施形態を示す。各実施形態において、ｉは物体側からの面の順序を示し、Ｒｉはレンズ面の曲率半径、Ｄｉは第ｉ面と第ｉ＋１面との間のレンズ肉厚および空気間隔、Ｎｉ、νｉはそれぞれｄ線に対する屈折率、アッベ数を示す。なお、本発明の全ての実施形態において、面番号１より物体側の媒質の屈折率（ｄ線）は1.33304、アッべ数（d線）は55.8である。＊は非球面であることを示す。
【００４８】
また、ｋ、A4，A6、A8、A10は非球面係数である。非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］
＋A4ｈ4＋A6ｈ6＋A8ｈ8＋A10ｈ10
で表される。但しＲは曲率半径である。又、前述の各条件式と各実施形態との関係を表１に示す。
【００４９】
【表１】
2017026773.tif 000003
【００５０】
数値実施例１
面データ             単位 mm
面番号       r        d      nd         vd
1*       -15.915    1.00   1.84666    23.8           
2*        76.204    0.77                             
3         17.067    2.73   1.84666    23.8           
4        290.116    1.78                           
5*       -70.635    1.05   1.84954    40.1           
6*         5.476    1.81                             
7          9.457    1.70   1.92286    18.9           
8         20.952   13.53                             
9          ∞      -0.30                             
10*         5.724    1.56   1.84954    40.1           
11         75.396    0.20                             
12          7.154    1.10   1.69680    55.5           
13        -38.616    0.40   1.80518    25.4           
14          3.768    0.81                             
15         61.821    0.90   1.69680    55.5           
16        -16.566    0.50                             
17(絞り)    ∞       0.00                             
18          ∞       3.29                             
19*        53.898    1.70   1.69350    53.2           
20        -19.698    0.50                             
21          ∞       0.20   1.51633    64.1           
22          ∞       1.69   1.33304    55.8           
23          ∞       0.20   1.51633    64.1           
24          ∞       1.10                             
25          ∞       0.80   1.51633    64.1           
26          ∞       0.40                             
像面        ∞   
非球面データ
第1面
K =-9.79493e-001  A 4= 2.56547e-005  A 6= 1.79281e-007  A 8=-3.70900e-009  A10= 2.15782e-011 
第2面
K = 4.32858e+000  A 4=-8.99965e-006  A 6=-1.49356e-007  A 8= 5.57963e-010  A10= 1.32023e-011 
第5面
K =-1.07330e+002  A 4= 4.04232e-005  A 6= 1.96930e-006  A 8=-4.86549e-008  A10= 2.57221e-010 
第6面
K =-2.49863e+000  A 4= 1.45353e-003  A 6=-1.88947e-005  A 8= 6.50736e-007  A10=-1.22778e-008 
第10面
K =-2.52946e-001  A 4=-2.90139e-004  A 6=-6.10419e-006  A 8= 2.36183e-007  A10=-1.70905e-008 
第19面
K =-9.21809e+002  A 4= 4.61945e-004  A 6=-3.30079e-005  A 8= 1.21214e-006  A10=-1.83285e-008 
各種データ
焦点距離       4.43  
Fナンバー      2.85  
画角          36.96  
像高           3.33  
レンズ全長    39.42  
BF             0.40  
各レンズ群データ
群  始面    焦点距離 （空気中）
1    1     -69.82 
2    5     -10.04  
3    9       9.20  
4   19      21.00  
5   21       ∞  
数値実施例２
面データ             単位 mm
面番号       r        d      nd         vd
1*       -22.866    1.00   1.85135    40.1           
2*        76.097    0.40                             
3         13.217    3.14   1.65160    58.5           
4         36.834    1.56                             
5*       -70.635    1.05   1.84954    40.1           
6*         5.476    1.81                             
7          9.457    1.70   1.92286    18.9           
8         20.952   13.53                             
9          ∞      -0.30                             
10*         5.724    1.56   1.84954    40.1           
11         75.396    0.20                             
12          7.154    1.10   1.69680    55.5           
13        -38.616    0.40   1.80518    25.4           
14          3.768    0.81                             
15         61.821    0.90   1.69680    55.5           
16        -16.566    0.50                             
17(絞り)    ∞       0.00                             
18          ∞       3.29                             
19*        53.898    1.70   1.69350    53.2           
20        -19.698    0.50                             
21          ∞       0.20   1.51633    64.1           
22          ∞       1.87   1.33304    55.8           
23          ∞       0.20   1.51633    64.1           
24          ∞       1.10                             
25          ∞       0.80   1.51633    64.1           
26          ∞       0.40                             
像面        ∞   
非球面データ
第1面
K = 6.31406e-001  A 4= 1.82008e-005  A 6=-3.16406e-007  A 8= 3.41968e-010  A10= 4.28802e-012  
第2面
K = 2.79746e+000  A 4=-2.01880e-005  A 6=-6.24532e-007  A 8= 2.38310e-009  
第5面
K =-1.07330e+002  A 4= 4.04232e-005  A 6= 1.96930e-006  A 8=-4.86549e-008  A10= 2.57221e-010  
第6面
K =-2.49863e+000  A 4= 1.45353e-003  A 6=-1.88947e-005  A 8= 6.50736e-007  A10=-1.22778e-008  
第10面
K =-2.52946e-001  A 4=-2.90139e-004  A 6=-6.10419e-006  A 8= 2.36183e-007  A10=-1.70905e-008  
第19面
K =-9.21809e+002  A 4= 4.61945e-004  A 6=-3.30079e-005  A 8= 1.21214e-006  A10=-1.83285e-008  
各種データ
焦点距離       4.43  
Fナンバー      2.89  
画角          36.96  
像高           3.33  
レンズ全長    39.43  
BF             0.40  
各レンズ群データ
群  始面    焦点距離（空気中）  
1    1     -63.73  
2    5     -10.04  
3    9       9.20  
4   19      21.00  
5   21       ∞   
数値実施例３
面データ             単位 mm
面番号       r        d      nd         vd
1*       -17.344    1.00   2.00178    19.3           
2*      7732.556    1.80                             
3         16.108    2.17   1.92286    18.9           
4         69.623    1.40                             
5*       -70.635    1.05   1.84954    40.1           
6*         5.476    1.81                             
7          9.457    1.70   1.92286    18.9           
8         20.952   13.53                             
9          ∞      -0.30                             
10*         5.724    1.56   1.84954    40.1           
11         75.396    0.20                             
12          7.154    1.10   1.69680    55.5           
13        -38.616    0.40   1.80518    25.4           
14          3.768    0.81                             
15         61.821    0.90   1.69680    55.5           
16        -16.566    0.50                             
17(絞り)    ∞       0.00                             
18          ∞       3.29                             
19*        53.898    1.70   1.69350    53.2           
20        -19.698    0.50                             
21          ∞       0.20   1.51633    64.1           
22          ∞       1.59   1.33304    55.8           
23          ∞       0.20   1.51633    64.1           
24          ∞       1.10                             
25          ∞       0.80   1.51633    64.1           
26          ∞       0.40                             
像面        ∞   
非球面データ
第1面
K = 8.57247e-001  A 4= 6.58164e-005  A 6= 4.18695e-007  A 8=-5.44600e-009  A10= 3.98035e-011 
第2面
K = 6.07242e+005  A 4= 3.50002e-006  A 6=-4.01978e-007  A 8= 3.15015e-009  
第5面
K =-1.07330e+002  A 4= 4.04232e-005  A 6= 1.96930e-006  A 8=-4.86549e-008  A10= 2.57221e-010 
第6面
K =-2.49863e+000  A 4= 1.45353e-003  A 6=-1.88947e-005  A 8= 6.50736e-007  A10=-1.22778e-008 
第10面
K =-2.52946e-001  A 4=-2.90139e-004  A 6=-6.10419e-006  A 8= 2.36183e-007  A10=-1.70905e-008 
第19面
K =-9.21809e+002  A 4= 4.61945e-004  A 6=-3.30079e-005  A 8= 1.21214e-006  A10=-1.83285e-008 
各種データ
焦点距離       4.43  
Fナンバー      2.83  
画角          36.96  
像高           3.33  
レンズ全長    39.41  
BF             0.40  
各レンズ群データ
群  始面    焦点距離（空気中）  
1    1    -126.83  
2    5     -10.04  
3    9       9.20  
4   19      21.00  
5   21       ∞    
数値実施例４
面データ             単位 mm
面番号       r        d      nd         vd
1*       -24.000    1.50   1.84666    23.8           
2         24.000    0.42                             
3         12.095    2.95   1.85478    24.8           
4         60.866    1.16                             
5*       -70.635    1.05   1.84954    40.1           
6*         5.476    1.81                             
7          9.457    1.70   1.92286    18.9           
8         20.952   13.53                             
9          ∞      -0.30                             
10*         5.724    1.56   1.84954    40.1           
11         75.396    0.20                             
12          7.154    1.10   1.69680    55.5           
13        -38.616    0.40   1.80518    25.4           
14          3.768    0.81                             
15         61.821    0.90   1.69680    55.5           
16        -16.566    0.50                             
17(絞り)    ∞       0.00                             
18          ∞       3.29                             
19*        53.898    1.70   1.69350    53.2           
20        -19.698    0.57                            
21          ∞       0.20   1.51633    64.1           
22          ∞       1.69   1.33304    55.8           
23          ∞       0.20   1.51633    64.1           
24          ∞       1.10                             
25          ∞       0.80   1.51633    64.1           
26          ∞       0.40                             
像面        ∞   
非球面データ
第1面
K = 3.60182e+000  A 4= 4.82157e-006  A 6= 1.94903e-006  A 8=-2.33270e-008  A10= 1.23010e-010  
第5面
K =-1.07330e+002  A 4= 4.04232e-005  A 6= 1.96930e-006  A 8=-4.86549e-008  A10= 2.57221e-010  
第6面
K =-2.49863e+000  A 4= 1.45353e-003  A 6=-1.88947e-005  A 8= 6.50736e-007  A10=-1.22778e-008  
第10面
K =-2.52946e-001  A 4=-2.90139e-004  A 6=-6.10419e-006  A 8= 2.36183e-007  A10=-1.70905e-008  
第19面
K =-9.21809e+002  A 4= 4.61945e-004  A 6=-3.30079e-005  A 8= 1.21214e-006  A10=-1.83285e-008  
各種データ
焦点距離       4.42
Fナンバー      2.87
画角          37.01
像高           3.33
レンズ全長    39.24
BF             0.40
ズームレンズ群データ
群  始面    焦点距離(空気中)  
1    1     -87.58  
2    5     -10.04  
3    9       9.20  
4   19      21.00  
5   21       ∞    
マスターレンズ
単位 mm
面データ
面番号       r        d      nd         vd
1*       -70.635    1.05   1.84954    40.1           
2*         5.476    1.81                             
3          9.457    1.70   1.92286    18.9           
4         20.952   13.53                             
5          ∞      -0.30                             
6*         5.724    1.56   1.84954    40.1           
7         75.396    0.20                             
8          7.154    1.10   1.69680    55.5           
9        -38.616    0.40   1.80518    25.4           
10          3.768    0.81                             
11         61.821    0.90   1.69680    55.5           
12        -16.566    0.50                             
13(絞り)    ∞       0.00                             
14          ∞       3.29                             
15*        53.898    1.70   1.69350    53.2           
16        -19.698    0.50                             
17          ∞       0.20   1.51633    64.1           
18          ∞       1.38                             
19          ∞       0.20   1.51633    64.1           
20          ∞       1.10                             
21          ∞       0.80   1.51633    64.1           
22          ∞       0.40                             
像面        ∞   
非球面データ
第1面
K =-1.07330e+002  A 4= 4.04232e-005  A 6= 1.96930e-006  A 8=-4.86549e-008  A10= 2.57221e-010  
第2面
K =-2.49863e+000  A 4= 1.45353e-003  A 6=-1.88947e-005  A 8= 6.50736e-007  A10=-1.22778e-008  
第6面
K =-2.52946e-001  A 4=-2.90139e-004  A 6=-6.10419e-006  A 8= 2.36183e-007  A10=-1.70905e-008  
第15面
K =-9.21809e+002  A 4= 4.61945e-004  A 6=-3.30079e-005  A 8= 1.21214e-006  A10=-1.83285e-008  
各種データ
焦点距離       4.43  
Fナンバー      2.88  
画角          36.93  
像高           3.33  
レンズ全長    32.83  
BF             0.40  
各レンズ群データ
群  始面    焦点距離(空気中)  
1    1     -10.04  
2    5       9.20  
3   15      21.00  
4   17       ∞    
【符号の説明】
【００５１】
C  コンバータレンズ、M  マスターレンズ、L1  第１レンズ群、L2  第２レンズ群、
G0  マスターレンズの平行平板ガラス、G1  カメラマウントの保護ガラス、
G2  ガラスブロック、IP  像面、ｄ  ｄ線、ｇ  ｇ線、ΔS  サジタル像面、
ΔM  メリディオナル像面
【図１】
2017026773.tif 000004
【図２】
2017026773.tif 000005
【図３】
2017026773.tif 000006
【図４】
2017026773.tif 000007
【図５】
2017026773.tif 000008
【図６】
2017026773.tif 000009
【図７】
2017026773.tif 000010
【図８】
2017026773.tif 000011
【図９】
2017026773.tif 000012
【図１０】
2017026773.tif 000013